(57)【要約】  【課題】  電極に衝撃を伝播させて不純物を電極から除去し、放電不能の発生を抑制することができる放電ランプ、光源ユニット、並びに放電ランプ又は光源ユニットを備える投影型映像表示装置を提供する。  【解決手段】  投影型映像表示装置である液晶プロジェクタ１は、装置の動作を制御する制御回路３１を備えている。制御回路３１は、点灯回路３２、パネル駆動回路３３、及び衝撃付与装置３４に接続されている。衝撃付与装置３４は、光源ユニット４の筐体７０に当接されており、制御回路３１によって制御されて光源ユニット４に衝撃を与えることによって、放電ランプ６の発光管（６０）に設けられた電極（６４）に衝撃が伝播させる。放電によって発光管が高温となるため、内部に浮遊している不純物が気化して電極に付着するが、伝播された衝撃によって電極が振動するため、電極に付着した不純物を除去でき、放電不能の発生を抑制することができる。【選択図】        図１
2006202608.tif 000002
【特許請求の範囲】
【請求項１】
発光管の内部に電極を有する放電ランプにおいて、
前記電極に衝撃が伝播されるように衝撃付与を行う衝撃付与手段を備えること
を特徴とする放電ランプ。
【請求項２】
発光管の内部に電極を有する放電ランプが筐体に収められた光源ユニットにおいて、
前記電極に衝撃が伝播されるように、前記筐体に衝撃付与を行う衝撃付与手段を備えること
を特徴とする光源ユニット。
【請求項３】
発光管の内部に電極を有する放電ランプを備える投影型映像表示装置において、
前記電極に衝撃が伝播されるように、前記放電ランプに衝撃付与を行う衝撃付与手段を備えること
を特徴とする投影型映像表示装置。
【請求項４】
発光管の内部に電極を有する放電ランプが筐体に収められた光源ユニットを備える投影型映像表示装置において、
前記電極に衝撃が伝播されるように、前記筐体に衝撃付与を行う衝撃付与手段を備えること
を特徴とする投影型映像表示装置。
【請求項５】
前記発光管の点灯を制御する制御手段を備え、
前記衝撃付与手段は、前記発光管が非点灯状態の場合に衝撃付与を行うようにしてあること
を特徴とする請求項３又は請求項４に記載の投影型映像表示装置。
【請求項６】
前記衝撃付与手段は、電源が投入されてから前記発光管が点灯するまでの間に衝撃付与を行うようにしてあること
を特徴とする請求項５に記載の投影型映像表示装置。
【発明の詳細な説明】
【技術分野】
【０００１】
本発明は、放電媒体が封入された発光管の内部に電極を有する、メタルハライドランプ、水銀ランプ、キセノンランプなどの放電ランプ、該放電ランプが筐体に収められた光源ユニット、並びに放電ランプ又は光源ユニットを備える投影型映像表示装置に関する。
【背景技術】
【０００２】
液晶プロジェクタのような投影型映像表示装置は、教育及び娯楽用途のほか、最近はパソコン用データプロジェクタとしての需要が増えており、また大形テレビジョンの一方式としても注目されている。液晶プロジェクタは、液晶ディスプレイ、ＰＤＰのような大形テレビジョンと比較して、低コストでの製造が可能であり、また、小型軽量化が容易で可搬性に優れる。ところで、液晶パネル及びＤＭＤなどの非発光型表示素子を利用した投影型映像表示装置は、映像をスクリーンに投影する投影用光源が必要である。投影用光源としては、小型かつ高輝度なメタルハライドランプ、水銀ランプ、キセノンランプなどの放電ランプが利用されている（例えば、特許文献１参照。）。
【０００３】
メタルハライドランプは、水銀、メタルハライド（金属ハロゲン化物）及び希ガスが封入された発光管の内部に一対の電極（例えばタングステン）が配置され、水銀蒸発中のアークに金属蒸気を存在させ、金属特有の原子または分子スペクトルを得るものである。発光管に金属のみを添加した場合は、蒸気圧が低くなって失透現象が短時間で発生するため、発光管内にメタルハライドを添加することで、蒸気圧を高くして発光特性を安定化する。つまり、アーク中心部では、ガス温度が高温（略５０００Ｋ）となって、メタルハライドが金属とハロゲンとに熱解離し、管壁付近では再結合してメタルハライドとなる。このため、管壁での金属と石英ガラスとの反応が緩和されて失透現象の発生を抑制することができる。なお、希ガスは主として始動時の補助として作用する。
【特許文献１】特開平１１−１６２４０６号公報
【発明の開示】
【発明が解決しようとする課題】
【０００４】
しかしながら、放電によって発光管自体が高温となるため、発光管内部に浮遊している不純物が気化し、放電ランプが冷却された場合に、不純物が発光管の内部に設けられた電極に付着する。不純物としては、金属のような良導性不純物及びガラスのような絶縁性不純物などがあるが、特に、絶縁性不純物は電極間の放電を阻害する阻害物として作用することから、放電不能が生じて放電ランプが点灯しなくなるという問題があった。
【０００５】
本発明は斯かる事情に鑑みてなされたものであり、放電媒体が封入された発光管の内部に設けられた電極に衝撃を伝播させる構成とすることにより、電極に不純物が付着した場合であっても、不純物を電極から除去して、放電不能の発生を抑制することができる放電ランプ、該放電ランプが筐体に収められた光源ユニット、並びに放電ランプ又は光源ユニットを備える投影型映像表示装置の提供を目的とする。
【０００６】
また本発明は、発光管が点灯している場合は、放電の阻害物として作用する不純物が気化するため、不純物が電極に付着する確率が低いので、不純物が電極に付着する虞のある非点灯状態の場合に衝撃付与を行って、電極に衝撃を伝播させる構成とすることにより、不純物を効率よく除去することができる投影型映像表示装置の提供を目的とする。
【０００７】
さらに本発明は、投影型映像表示装置に電源を投入してから発光管が点灯するまでの間に衝撃付与を行って、電極に衝撃を伝播させる構成とすることにより、例えば、前回の点灯によって電極に付着した不純物を点灯前に除去することができる投影型映像表示装置の提供を目的とする。
【課題を解決するための手段】
【０００８】
本発明に係る放電ランプは、発光管の内部に電極を有する放電ランプにおいて、前記電極に衝撃が伝播されるように衝撃付与を行う衝撃付与手段を備えることを特徴とする。
【０００９】
本発明にあっては、発光管の内部に設けられた電極に衝撃が伝播されるように衝撃付与を行う。放電によって発光管が高温となるため、発光管内部に浮遊している不純物が気化して電極に付着するが、伝播された衝撃によって電極が振動するため、電極に付着した不純物を除去することができる。したがって、放電不能が生じて放電ランプが点灯しなくなる不具合の発生を抑制することができる。例えば、発光管からの放射光が、発光管に当接された凹面リフレクタに反射されて前面開口から放射される放電ランプでは、凹面リフレクタが発光管に当接されているため、発光管、さらに電極へ効率よく衝撃を伝播させることができる。
【００１０】
本発明に係る光源ユニットは、発光管の内部に電極を有する放電ランプが筐体に収められた光源ユニットにおいて、前記電極に衝撃が伝播されるように、前記筐体に衝撃付与を行う衝撃付与手段を備えることを特徴とする。
【００１１】
本発明にあっては、筐体に衝撃付与を行うことによって、筐体を通じて発光管の内部に設けられた電極に衝撃が伝播される。これにより、電極が振動するため、電極に付着した不純物を除去することができる。筐体に衝撃を与えればよいため、衝撃付与手段を配置する自由度が高く、光源ユニットの構成に応じて衝撃付与手段の配置位置を適宜決定することができる。
【００１２】
本発明に係る投影型映像表示装置は、発光管の内部に電極を有する放電ランプを備える投影型映像表示装置において、前記電極に衝撃が伝播されるように、前記放電ランプに衝撃付与を行う衝撃付与手段を備えることを特徴とする。
【００１３】
本発明にあっては、放電ランプに衝撃付与を行うことによって、発光管の内部に設けられた電極に衝撃が伝播される。これにより、電極に付着した不純物が除去されるので、放電不能が生じて放電ランプが点灯しなくなる不具合の発生を抑制して、高信頼性の投影型映像表示装置とすることができる。
【００１４】
本発明に係る投影型映像表示装置は、発光管の内部に電極を有する放電ランプが筐体に収められた光源ユニットを備える投影型映像表示装置において、前記電極に衝撃が伝播されるように、前記筐体に衝撃付与を行う衝撃付与手段を備えることを特徴とする。
【００１５】
本発明にあっては、筐体に衝撃付与を行うことによって、放電ランプに衝撃が伝播され、さらに、発光管の内部に設けられた電極に衝撃が伝播させる。これにより、電極が振動するため、電極に付着した不純物を除去することができ、放電不能の発生を抑制して高信頼性の投影型映像表示装置とすることができる。光源ユニットに衝撃を与えればよいため、衝撃付与手段を配置する自由度が向上する。
【００１６】
本発明に係る投影型映像表示装置は、前記発光管の点灯を制御する制御手段を備え、前記衝撃付与手段は、前記発光管が非点灯状態の場合に衝撃付与を行うようにしてあることを特徴とする。
【００１７】
本発明にあっては、発光管が点灯している場合は、放電の阻害物として作用する不純物が気化するため、不純物が電極に付着する確率が低いので、不純物が電極に付着する虞のある非点灯状態の場合に衝撃を付与して電極を振動させる。
【００１８】
本発明に係る投影型映像表示装置は、前記衝撃付与手段は、電源が投入されてから前記発光管が点灯するまでの間に衝撃付与を行うようにしてあることを特徴とする。
【００１９】
本発明にあっては、投影型映像表示装置の電源が投入されてから発光管が点灯するまでの間に衝撃を付与するようにする。これにより、電極に付着している不純物（例えば、前回の点灯によって付着した不純物）を除去することができ、放電不能が生じて放電ランプが点灯しなくなる不具合の発生を抑制できる。
【発明の効果】
【００２０】
本発明によれば、発光管の内部に設けられた電極に衝撃を伝播させる構成としたので、電極に不純物が付着した場合であっても、衝撃によって不純物を電極から除去して、放電不能の発生を抑制することができる。
【００２１】
本発明によれば、発光管が点灯している場合は、放電の阻害物として作用する不純物が気化するため、不純物が電極に付着する確率が低いので、不純物が電極に付着する虞のある非点灯状態の場合に衝撃付与を行って電極に衝撃を伝播させる構成としたので、不純物を効率よく除去することができる。
【００２２】
本発明によれば、投影型映像表示装置に電源を投入してから発光管が点灯するまでの間に衝撃付与を行って電極に衝撃を伝播させる構成としたので、例えば、前回の点灯によって電極に付着した不純物を点灯前に除去することができる等、優れた効果を奏する。
【発明を実施するための最良の形態】
【００２３】
以下、本発明をその実施の形態を示す図面に基づいて詳述する。
【００２４】
（実施の形態１）
図１は本発明の実施の形態１に係る投影型映像表示装置（液晶プロジェクタ）の一例を示すブロック図である。液晶プロジェクタは大きく３板式と単板式とに区分されるが、表示品質に優れる３板式を一例として説明することとする。
【００２５】
本発明の実施の形態１に係る液晶プロジェクタ１は、メタルハライドランプ、水銀ランプ及びキセノンランプなどの放電ランプ６が筐体７０に収められた光源ユニット４を投影用光源として備えている。
光源ユニット４からの出射光は、第１レンズアレイ１１ａ及び第２レンズアレイ１１ｂからなるオプティカルインテグレータ１１にて集光されてダイクロイックミラー１３へ導光される。オプティカルインテグレータは、矩形の液晶パネルに有効に導光させるように、小さい矩形レンズを並置したものであり、光源に色むらがある場合、アークにちらつきがある場合でもスクリーン上での色むら及びちらつきを抑制することができる。特に、液晶パネルの表示面における照度の均一性が要求される場合は、オプティカルインテグレータを用いて集光率を高めることができる。
【００２６】
ダイクロイックミラー１３は、導光した光の波長を分離するものであり、赤色帯域の光（以下、赤色光）を透過させるとともに、緑色帯域の光（以下、緑色光）及び青色帯域（以下、青色光）を反射させる。ダイクロイックミラー１３は、例えば、誘電体多層膜からなり、その屈折率及び膜厚の組合せによって、反射係数及び透過係数に波長依存性を持たせて光を分離する。
【００２７】
ダイクロイックミラー１３を透過した赤色光はミラー１４へ導光される。次に、赤色光は、ミラー１４によって、その進行方向が転回されてレンズ２０ａへ導光される。そして、赤色光は、レンズ２０ａによって集光されて赤色表示用の液晶パネル２１ａへ導光される。
【００２８】
一方、ダイクロイックミラー１３にて反射した緑色光及び青色光は、ダイクロイックミラー１５へ導光される。ダイクロイックミラー１５は、青色光を透過させるとともに、緑色光を反射させる。ダイクロイックミラー１５にて反射した緑色光は、レンズ２０ｂによって集光されて緑色表示用の液晶パネル２１ｂへ導光される。
【００２９】
一方、ダイクロイックミラー１５を透過した青色光は、レンズ１６によって集光されてミラー１７へ導光される。次に、青色光は、ミラー１７によって、その進行方向が転回されてレンズ１８へ導光される。レンズ１８にて集光された青色光はミラー１９へ導光される。そして、青色光は、ミラー１９によって、その進行方向が転回され、さらに、レンズ２０ｃによって集光されて青色表示用の液晶パネル２１ｃへ導光される。
【００３０】
また、液晶プロジェクタ１は、装置の動作を制御する制御回路３１を備えている。制御回路３１は、点灯回路３２、パネル駆動回路３３、及び衝撃付与装置３４に接続されている。点灯回路３２は、光源ユニット４（放電ランプ６）に電力を与えることによって、放電ランプ６を点灯させるためのものである。パネル駆動回路３３は、液晶パネル２１ａ，２１ｂ，２１ｃの光透過率を制御することによって、各色の輝度を調整するためのものであり、光透過率が制御された各色の光は、ダイクロイックフィルター光合成プリズム２２にて合成された後、プロジェクターレンズ２３を通じてスクリーンに投影される。このように、スクリーンに投影される映像の大きさは投影距離によって決定されるので、液晶プロジェクタ１は、ＣＲＴ、液晶ディスプレイ、ＰＤＰのような表示装置と比較して小型化が可能であり可搬性に優れる。
【００３１】
衝撃付与装置３４は、光源ユニット４の筐体７０に当接されており、制御回路３１によって制御されて光源ユニット４（筐体７０）に衝撃を与えるためのものである。衝撃付与装置３４は、例えば、図２に示すように、電動モータ４１の回転軸４１ａに、例えば偏心した（例えば半月形状の）重り４２を取り付け、モータ４１に電圧を印加して重り４２を回転させることで振動（バイブレーション）現象を発生させるバイブレータ４０（図２（ａ））、厚み方向に分極された圧電セラミックス薄板（圧電素子（電歪素子ともいう））５１と、薄い金属板５２とを貼付し、圧電素子５１に分極方向と同一方向の電圧を印加することで圧電素子５１を収縮させ、逆方向電圧を印加することで伸長させて、その伸縮変化を金属板５２に伝播させて金属板５２に撓み現象を生じさせて音波（超音波など）を発生させるスピーカ５０（図２（ｂ））などである。圧電素子５１としては、チタン酸バリウムなどの強誘電体であり、電界を与えることによって歪みが生じる。例えば、１ＭＶ／ｍの電界を与えると、その全長に対して０．００１程度の歪みが生じる。
【００３２】
衝撃付与装置３４としてバイブレータ４０を用いる場合は、直接的に光源ユニット４（筐体７０）に衝撃を付与することになり、スピーカ５０を用いる場合は、空気を媒体として振動させ、振動した空気によって間接的に光源ユニット４（筐体７０）に衝撃を付与することになる。
【００３３】
図３は光源ユニットの一例を示す模式図である。
光源ユニット４は、筐体７０に放電ランプ６が収められた構成を有する。放電ランプ６は、発光管６０、凹面状のリフレクタ６２、及び前面ガラス６３を要部とし、接着剤６１を介して発光管６０の一端側とリフレクタ６２とが当接された状態で固定され、前面ガラス６３はリフレクタ６２の前面開口に接着されている。
【００３４】
発光管６０は軸断面が略円形状の発光管で、略中央部が膨出して発光空間を形成する。発光管６０は耐熱性の観点から融点の高い石英ガラスを用いる。発光管６０には、放電媒体として所定量の水銀、メタルハライド、及びアルゴン等の希ガスが封入されている。メタルハライドは、よう素、臭素などのハロゲンと、ジスプロシウム、ホルミウム、ツリウムなどの希土類金属とからなり、メタルハライドの種類、組成比及び封入量を適宜設定することによって、利用用途に合わせて発光色（色温度）、演色性及び発光効率を決定する。
【００３５】
発光管６０には、タングステンからなる電極６４，６４が配置されており、各電極６４は、モリブデンからなる金属箔６５を介して、リード６６に接続されている。リード６６はリード線６７を介して点灯回路３２に接続されており、点灯回路３２によって電極６４，６４間に電圧を印加することによって、両電極間に放電が生じて発光する。輝度は、アーク長が短く、点灯圧力が高い程高くなり、両電極（陽極及び陰極）間の輝度差は、アーク長が短く、点灯圧力が高い程少なくなる。
【００３６】
リフレクタ６２の表面には、反射係数の高い銀及びアルミのような薄膜がコーティングされており、発光管６０からの放射光を反射して前面ガラス６３から出射させる。
【００３７】
また、筐体７０には衝撃付与装置３４が当接されており、筐体７０と電極６４とは、なんらかの媒体を通じて衝撃が伝播されるような位置関係となっている。したがって、衝撃付与装置３４が筐体７０に衝撃付与を行うことよって、衝撃を電極６４に伝播させることができる。より詳細には、衝撃付与装置３４が筐体７０に衝撃付与を行うことによって、前面ガラス６３、リフレクタ６２、発光管６０の順に衝撃が伝播され、さらに電極６４に衝撃が伝播される。
【００３８】
図４は制御回路から点灯回路及び衝撃付与装置に与える制御信号のタイミングの一例を示すタイミングチャートである。
制御回路３１は、放電ランプ６（発光管６０）を時刻ｔ１に点灯（オン）させ、時刻ｔ２に消灯（オフ）させるための制御信号１を点灯回路３２に与える（図４（ａ））。これにより、発光管６０は、時刻ｔ１に点灯、時刻ｔ２に消灯する。また、制御回路３１は、時刻ｔ３に衝撃を付与（オン）させ、時刻ｔ４に衝撃付与を停止（オフ）させるための制御信号２を衝撃付与装置３４に与える（図４（ｂ））。時刻ｔ３は発光管６０が消灯する時刻ｔ２の時間ΔＴ１後であり、発光管６０の消灯後、時間ΔＴ１を経過してから衝撃を付与する。そして、時間ΔＴ２後の時刻ｔ４に衝撃の付与を停止する。
【００３９】
時刻ｔ１〜時刻ｔ２の間、放電によって発光管６０が高温となるため、発光管６０の内部に浮遊している不純物が気化する。そして、時刻ｔ２〜時刻ｔ３の間、発光管６０の内部に浮遊している不純物が、発光管自体の温度低下とともに電極６４に付着する。そこで、時刻ｔ３〜時刻ｔ４の間、衝撃付与装置３４が筐体７０に衝撃付与を行うことによって、前面ガラス６３、リフレクタ６２、発光管６０の順に衝撃が伝播し、さらに、発光管６０の内部の電極６４へ伝播する。これにより、電極６４が振動して不純物が除去される。
【００４０】
なお、本実施の形態では、発光管６０の消灯（時刻ｔ２）から所定時間（ΔＴ１）後に衝撃を付与するようにしたが、例えば、図５に示すように、液晶プロジェクタ１に電源を投入してから発光管６０が点灯（時刻ｔ１２）するまでの間に、電極６４に付着している不純物（例えば、前回の点灯によって付着した不純物）を除去すべく、まず衝撃付与装置３４が所定時間作動して衝撃を付与するようにしてもよい。このように、発光管６０が非点灯状態の場合に衝撃を付与することが好ましいが、そのタイミングが限定されるものではない。図５においては、衝撃付与を停止させる時刻ｔ１１と、発光管を点灯させる時刻ｔ１２との時間（ΔＴ１１）が、“０”でない場合を例示したが、ΔＴ１１＝“０”、すなわち、衝撃付与を停止させる時刻ｔ１１と、発光管を点灯させる時刻ｔ１２とが同一時刻であってもよい。
【００４１】
また、放電不能の原因となる不純物は、点灯によって発光管６０の温度が上昇し、気化した不純物が発光管６０の温度低下とともに電極６４に付着する。したがって、設計段階で温度プロファイルを取得し、発光管６０の消灯後、どのくらいの時間で不純物が付着する温度環境になるかを計測し、放電ランプ６の種類に応じてΔＴ１を適宜決定することが好ましい。
【００４２】
例えば、図６の温度プロファイルに示すように、発光管６０の点灯（時刻ｔ１）後、温度が徐々に上昇して所定温度となる。そして、発光管６０の消灯（時刻ｔ２）後、温度が徐々に低下し、時間ΔＴ２１後に所定温度Ｔ０（例えば常温）となる。所定温度Ｔ０となる時間ΔＴ２１を放電ランプ６の種類毎に取得して、衝撃を付与するタイミングを決定することが好ましい。
【００４３】
（実施の形態２）
実施の形態１では、衝撃付与装置３４を光源ユニット４の筐体７０に当接させた場合について説明したが、液晶プロジェクタの筐体に当接させ、衝撃付与装置３４によって生じた衝撃を電極６４に伝播させるようにしてもよい。
【００４４】
図７は本発明の実施の形態２に係る投影型映像表示装置（液晶プロジェクタ）の一例を示すブロック図である。
本発明の実施の形態２に係る液晶プロジェクタ２は、衝撃付与装置３４がプロジェクタ２の筐体８０に当接されている。また、光源ユニット４は、その筐体７０が、液晶プロジェクタ２の筐体８０に当接されている。衝撃付与装置３４によって生じた衝撃は、まず、プロジェクタ２の筐体８０へ伝播される。筐体８０に伝播された衝撃は、光源ユニット４の筐体７０へ伝播される。さらに、前面ガラス６３を通じてリフレクタ６２へ伝播される。リフレクタ６２に伝播された衝撃は、発光管６０を通じて電極６４へ伝播される。そして、電極６４が振動して電極６４に付着した不純物が除去される。その他の構成は図１と同様であるので、対応する部分には同一の符号を付してその詳細な説明を省略する。
【００４５】
（実施の形態３）
実施の形態１（２）では、衝撃付与装置３４によって生じた衝撃を筐体７０（８０）に与えるようにした場合について説明したが、放電ランプ自体が衝撃付与装置を備えるようにしてもよい。
【００４６】
図８は本発明の実施の形態３に係る光源ユニットの一例を示す模式図である。
本発明の実施の形態３に係る光源ユニット５は、衝撃付与装置３４が放電ランプ６のリフレクタ６２に当接されている。衝撃付与装置３４によって生じた衝撃は、発光管６０を通じて電極６４へ伝播される。そして、電極６４が振動して電極６４に付着した不純物が除去される。その他の構成は図３と同様であるので、対応する部分には同一の符号を付してその詳細な説明を省略する。
【００４７】
なお、衝撃付与装置３４の作動用の専用スイッチを設け、専用スイッチがオンされた場合に衝撃付与装置３４を作動させるようにしてもよい。また、発光管６０が高温のときは不純物除去の効果が低いので、発光管６０の温度を検出する温度検出器を設け、検出された温度が所定範囲内のときに衝撃付与装置３４を作動させることが好ましい。
【００４８】
また、衝撃付与装置３４としてスピーカを用いた場合には空気を振動させて衝撃を伝播させることから、衝撃付与装置３４を、衝撃を与える筐体７０（実施の形態１）、筐体８０（実施の形態２）、リフレクタ６２（実施の形態３）に当接させておく必要はない。また、衝撃付与装置３４として、バイブレータ４０及びスピーカ５０を例示的に示したが、ソレノイドコイルに印加する電流の向きを変えることによって、磁性板を振動させるようにした装置（バイブレータ）であってもよい。
【００４９】
さらに、フロント投影型の液晶プロジェクタについて説明したが、リア投影型の液晶プロジェクタ、いわゆるリアプロジェクタについても、本発明を適用できることはいうまでもなく、放電ランプを光源として用いる投影型映像表示装置に対して本発明を適用して好適なものである。もちろん、透過型の液晶パネルを用いた一例を示したが、反射型の液晶パネルを用いてもよいし、ＤＭＤのような非発光型表示素子を利用した表示装置に対して適用することができる。
【図面の簡単な説明】
【００５０】
【図１】本発明の実施の形態１に係る投影型映像表示装置（液晶プロジェクタ）の一例を示すブロック図である。
【図２】衝撃付与装置の一例を示す模式図である。
【図３】光源ユニットの一例を示す模式図である。
【図４】制御回路から点灯回路及び衝撃付与装置に与える制御信号のタイミングの一例を示すタイミングチャートである。
【図５】制御回路から点灯回路及び衝撃付与装置に与える制御信号のタイミングの一例を示すタイミングチャートである。
【図６】放電ランプの温度プロファイルを示す説明するための説明図である。
【図７】本発明の実施の形態２に係る投影型映像表示装置（液晶プロジェクタ）の一例を示すブロック図である。
【図８】本発明の実施の形態３に係る光源ユニットの一例を示す模式図である。
【符号の説明】
【００５１】
１，２  液晶プロジェクタ
４，５  光源ユニット
６  放電ランプ
３１  制御回路
３２  点灯回路
３３  パネル駆動回路
３４  衝撃付与装置
６０  発光管
６２  リフレクタ
６３  前面ガラス
６４  電極
７０  筐体
８０  筐体
【図１】
2006202608.tif 000003
【図２】
2006202608.tif 000004
【図３】
2006202608.tif 000005
【図４】
2006202608.tif 000006
【図５】
2006202608.tif 000007
【図６】
2006202608.tif 000008
【図７】
2006202608.tif 000009
【図８】
2006202608.tif 000010